(57)【特許請求の範囲】
【請求項１】
モータを駆動し、錠剤収容ケース内に配設したロータを回転させ、前記錠剤収容ケース内に収容した錠剤を、前記ロータの各ポケット部に保持して排出部に移動させ、該排出部から錠剤を排出するようにした錠剤フィーダにおいて、
前記錠剤収容ケース内に、前記ロータのポケット部の上方に位置し、該ポケット部に作用する錠剤の重量が前記ロータの回転を阻止することを防止するサポート部を形成し、
該サポート部は、錠剤の積層を防止し、かつ、ポケット部での保持をスムーズに行わせる滞留防止部を備え、
該滞留防止部は、円錐部の外周にブラシ部を形成してなることを特徴とする錠剤フィーダ。
【発明の詳細な説明】
【０００１】
【発明の属する技術分野】
本発明は、錠剤フィーダに関するものである。
【０００２】
【従来の技術】
従来、錠剤フィーダとして、錠剤収容ケース内に設けたロータを回転駆動することにより、前記錠剤収容ケース内に収容した錠剤を払い出すようにしたものがある。このような錠剤フィーダには、錠剤の大きさや使用量に応じた異なる容積を有するものが公知である（特公昭６３−５０２４２号公報参照）。
【０００３】
【発明が解決しようとする課題】
しかしながら、前記錠剤フィーダでは、容積の大きなものに収容する錠剤の重量が大きくなり、ロータをスムーズに回転させることができない場合もある。このため、ロータ回転用のモータに駆動力の大きい高価なものを使用する必要がある。
【０００４】
そこで、本発明は、簡単な構成の大容量タイプであっても、ロータをスムーズに回転させて錠剤を払い出すことのできる錠剤フィーダを提供することを課題とする。
【０００５】
【課題を解決するための手段】
本発明は、前記課題を解決するための手段として、モータを駆動し、錠剤収容ケース内に配設したロータを回転させ、前記錠剤収容ケース内に収容した錠剤を、前記ロータの各ポケット部に保持して排出部に移動させ、該排出部から錠剤を排出するようにした錠剤フィーダにおいて、前記錠剤収容ケース内に、前記ロータのポケット部の上方に位置し、該ポケット部に作用する錠剤の重量が前記ロータの回転を阻止することを防止するサポート部を形成し、該サポート部は、錠剤の積層を防止し、かつ、ポケット部での保持をスムーズに行わせる滞留防止部を備え、該滞留防止部は、円錐部の外周にブラシ部を形成したものである。
【０００８】
【発明の実施の形態】
以下、本発明に係る実施形態を添付図面に従って説明する。
【０００９】
図１は、本実施形態に係る錠剤フィーダ１を円筒状にセットして使用する錠剤供給装置２を示す。
【００１０】
錠剤フィーダ１は、図２に示すように、錠剤供給装置２に設けられるケース支持台３と、このケース支持台３に着脱自在な錠剤収容ケース４とから構成される。
【００１１】
ケース支持台３の内部には、制御装置（図示せず）からの制御信号に基づいて駆動制御されるモータ（図示せず）が収容されている。
【００１２】
錠剤収容ケース４は、図３に示すように、略箱状で、上面が蓋体７によって開閉可能となっている。錠剤収容ケース４の底壁上面は略円錐状に形成され、そこにはロータ８が配設されている。ロータ８の円錐下面には溝状のポケット部９が等角度で複数形成されている。ポケット部９は、収容した錠剤を１つだけ保持可能な幅及び深さを有する。前記ロータ８には、図示しないギアを介して前記ケース支持台３に設けたモータの動力が伝達されるようになっている。また、錠剤収容ケース４内は、対向する側壁間にサポート部１１が形成されている。サポート部１１は、上方に向かって突出する断面略円弧状で、ロータ８の上方空間を横切るように形成され、その上方に位置する錠剤を支持する。したがって、ロータ８には、サポート部１１との間に位置する錠剤の重量のみが作用する。このため、前記ケース支持台３に設けたロータ８を、駆動力がそれ程大きなモータを使用しなくても、スムーズに回転させることができる。また、サポート部１１は、前述のように、上方に向かって突出する断面略円弧状に形成されているため、その上面（滞留防止部）に錠剤が残留することはない。
【００１３】
前記錠剤収容ケース４に形成したサポート部１１は、図４〜図１５に示すように構成することもできる。
【００１４】
図４〜図８では、サポート部１１が、前記実施形態と同様に、対向する側壁間に形成されている。この構成であれば、製作も簡単であり、所望の強度を得ることができる。図４〜図６ではサポート部１１は２列に形成されている。図４では中央側に向かって下方に傾斜し、図５では中央側に向かって上方に傾斜し、図６では上方に突出する円弧状に形成されることにより滞留防止部を構成している。また、図７では山型、図８では一方に傾斜、図９では３本の棒状にそれぞれ形成されることにより滞留防止部を構成している。
【００１５】
図１０〜図１４では、サポート部１１が略円盤状に形成され、底面や側面から延設した支持部で支持されている。図１０ではサポート部１１はドーム状、図１１では中心部に向かって下方に傾斜するドーナツ状、図１２では星形、図１３では図１０の対向縁部を円弧状に切除した形状、図１４では円錐部の外周にブラシ部が形成された形状にそれぞれ形成されることにより滞留防止部を構成している。図１４のブラシ部を有するものでは、錠剤に無理な負荷がかかって損傷させる心配がない点で好ましい。
【００１６】
図１５は、サポート部１１を一方の側壁から排出通路１０の上方側のみに延設することにより、必要最小限の範囲に形成されている。
【００１７】
なお、前記実施形態では、サポート部１１を錠剤収容ケース４に固定するようにしたが、取り外し可能に構成してもよい。すなわち、ロータ８が回転して錠剤が移動しても、錠剤収容ケース４内でサポート部１１が転倒したり、持ち上げられる等によりサポート部１１の機能が損なわれなければ、その設置構造は制約を受けない。また、錠剤収容ケース４内に錠剤が大量に収容された場合であっても、ロータ８に錠剤の自重が直接作用することを防止できるのであれば、サポート部１１の形状は、前記実施形態に制限されるものではない。さらに、本発明の滞留防止部には、前記実施形態の略円錐状、円弧状等に限らず、カプセル状、細長い形状や滑りの悪いカルシウム系の薬種である裸錠であっても、スムーズにロータ８に設けたポケット部９に移動させることができるようなもの等、種々の構成が含まれる。
【００１８】
また、本発明に係るサポート部１１は、例えば、特公昭６３−５０２４２号公報の第４図（ｂ），（ｃ）に示す構造の錠剤フィーダのように、大量の錠剤を収容可能な場合に特にその効果を発揮する。
【００１９】
【発明の効果】
以上の説明から明らかなように、本発明によれば、錠剤収容ケース内にサポート部を設けるようにしたので、錠剤を大量に収容した場合であっても、ロータの回転が妨げられることはなく、錠剤をスムーズに払い出すことができる。
【図面の簡単な説明】
【図１】  本実施形態に係る錠剤フィーダが複数設けられる錠剤供給装置の概略斜視図である。
【図２】  図１に示す錠剤フィーダの斜視図である
【図３】  （ａ）は他の形態に係るサポート部を備えた錠剤収容ケースの平面断面図、（ｂ）は立面断面図である。
【図４】  （ａ）は他の形態に係るサポート部を備えた錠剤収容ケースの平面断面図、（ｂ）は立面断面図である。
【図５】  （ａ）は他の形態に係るサポート部を備えた錠剤収容ケースの平面断面図、（ｂ）は立面断面図である。
【図６】  （ａ）は他の形態に係るサポート部を備えた錠剤収容ケースの平面断面図、（ｂ）は立面断面図である。
【図７】  （ａ）は他の形態に係るサポート部を備えた錠剤収容ケースの平面断面図、（ｂ）は立面断面図である。
【図８】  （ａ）は他の形態に係るサポート部を備えた錠剤収容ケースの平面断面図、（ｂ）は立面断面図である。
【図９】  （ａ）は他の形態に係るサポート部を備えた錠剤収容ケースの平面断面図、（ｂ）は立面断面図である。
【図１０】  （ａ）は他の形態に係るサポート部を備えた錠剤収容ケースの平面断面図、（ｂ）は立面断面図である。
【図１１】  （ａ）は他の形態に係るサポート部を備えた錠剤収容ケースの平面断面図、（ｂ）は立面断面図である。
【図１２】  （ａ）は他の形態に係るサポート部を備えた錠剤収容ケースの平面断面図、（ｂ）は立面断面図である。
【図１３】  （ａ）は他の形態に係るサポート部を備えた錠剤収容ケースの平面断面図、（ｂ）は立面断面図である。
【図１４】  （ａ）は他の形態に係るサポート部を備えた錠剤収容ケースの平面断面図、（ｂ）は立面断面図である。
【図１５】  （ａ）は他の形態に係るサポート部を備えた錠剤収容ケースの平面断面図、（ｂ）は立面断面図である。
【符号の説明】
１…錠剤フィーダ
３…ケース支持台
４…錠剤収容ケース
８…ロータ
９…ポケット部
１１…サポート部
【図１】
0003790688.tif 000002
【図２】
0003790688.tif 000003
【図３】
0003790688.tif 000004
【図４】
0003790688.tif 000005
【図５】
0003790688.tif 000006
【図６】
0003790688.tif 000007
【図７】
0003790688.tif 000008
【図８】
0003790688.tif 000009
【図９】
0003790688.tif 000010
【図１０】
0003790688.tif 000011
【図１１】
0003790688.tif 000012
【図１２】
0003790688.tif 000013
【図１３】
0003790688.tif 000014
【図１４】
0003790688.tif 000015
【図１５】
0003790688.tif 000016